(57)【特許請求の範囲】
【請求項１】
相互に嵌合接続される一対の雌・雄型コネクタであり、雌型コネクタのハウジング内に収容した弾性部材の反発力により係止手段を雄型コネクタに設けた係止突起に係止させることで半嵌合を防止する半嵌合防止コネクタにおいて、
前記ハウジング内に端子収容室と接続端子とにより接続部を設けるとともに、
前記係止手段は、係止突起が形成された前記雄型コネクタの挿入枠の当該係止突起に係止する係止部材を備え、前記ハウジングの長手方向に移動可能に組付けられ、前記挿入枠の雌コネクタへの嵌合操作により前記ハウジング内へ押動され、該押動により所定の移動量に達したとき回動され、前記弾性部材の反発力によって復動動作する前記ハウジング内に設けられたロック部材と、該ロック部材を押動、回動および復動自在に支持する支持機構と、から構成され、
前記ロック部材は、前記係止部材の両外側に突出するように形成された第１のロック解除突起を備えるとともに、
前記支持機構は、前記ハウジングの内側面に、中心方向に向けて設けられ、前記ロック部材が押動されて所定の移動量に達したとき、前記第１のロック解除突起に作用して前記ロック部材全体を回動させる突状の第２のロック解除突起を備えていることを特徴とする半嵌合防止コネクタ。
【請求項２】
前記係止手段である前記ロック部材は、上下端が開放され、両側が支持枠により支持された板状の係止部材と、前記ロック部材全体を回動自在に且つ長手方向に移動可能に支持するように前記支持枠の両外側に突状に設けた支持突起と、前記ロック部材のほぼ中央部であって前記支持枠に一体化された板状のバネ受け部と、前記ハウジング仕切り壁の一端を支点として前記ロック部材全体を雄型コネクタの方向に付勢するバネと、から構成されており、前記ロック部材全体が前記支持突起を中心にして回動可能とするために、前記ロック部材の上側は、雄コネクタを嵌合する端部から後端に向けて上り勾配に形成され、下側は支持突起から後端側が上り勾配のテーパ面となっていることを特徴とする請求項１記載の半嵌合防止コネクタ。
【請求項３】
前記係止手段である前記支持機構は、ほぼ中央部から後端側に向けて二重構造の壁部になっているハウジングの両内側面と、前記ロック部材に設けられた前記第１のロック解除突起をガイドするように、前記ハウジングの側面に設けられ、前記第２のロック解除突起から先端側に形成された棚状の一方のガイド部と、前記ハウジングの側面に設けられ、前記ロック部材全体を回動自在に且つ長手方向に移動可能に支持するように、支持枠の両外側に突状に設けた支持突起を介して前記ロック部材を回動および移動自在に案内する前記第２のロック解除突起から後端側に向けて形成された他方のガイド部と、から構成されていることを特徴とする請求項１記載の半嵌合防止コネクタ。
【請求項４】
前記接続部が、雄型コネクタを嵌合した際に前記雄型コネクタを構成する前記挿入枠の一端が圧接して水分の浸潤を防止する防水パッキン及び電線からの水分浸潤を防止するゴム栓を備えていることを特徴とする請求項１記載の半嵌合防止コネクタ。
【請求項５】
前記ロック部材の近傍の前記ハウジングの一部に開口部を設け、前記ハウジングおよび開口部をカバーによって覆うとともに、該カバーの前記開口部に対応する位置に開閉自在な嵌合解除扉を形成し、前記雄型コネクタとの嵌合を解除する際に、前記嵌合解除扉を開けて前記ロック部材を押圧することで前記係止突起との係止状態を解除することを特徴とする請求項１記載の半嵌合防止コネクタ。
【発明の詳細な説明】
【０００１】
【発明の属する技術分野】
本発明は、例えば電線同士を電気的に且つ防水状態で接続する半嵌合防止コネクタに関し、特に相手方コネクタとの嵌合を容易に且つ半嵌合防止を確実にするための係止手段を備えた半嵌合防止コネクタ。
【０００２】
【従来の技術】
現代の自動車は、各種制御のために多数の電子機器を搭載しているので、当然のことながらワイヤーハーネスやフラットケーブルが多用される。また、自動車は振動や冠水など厳しい環境で使用される。このため、組み立て工程やメンテナンスを考慮して、ワイヤーハーネス等の電線を簡便に接続したり取り外すために防水機能を有する半嵌合防止コネクタが使用されている。
【０００３】
以下、従来のコネクタの一例を図１０および図１１を参照して説明すると、ピン側コネクタ５０は内部に複数のピンコネクタ５２を列設したものであり、両側部に取付用フランジ５０ａを備えている。ソケット側コネクタ５１は、内部に複数のソケットコンタクト５３を列設したものであり、このソケットコンタクト５３には電線５３ａが接続されている。
【０００４】
ピン側コネクタ５０は、前部が開口した箱型のハウジング５４を有し、このハウジング５４の内部にはソケット側コネクタ５１との嵌合を案内するための案内板５５が内部を中央で上下に仕切るように設けられている。そして、上記ピンコンタクト５２は、図１１に示すようにハウジング５４の内部において後部から前方に向かって突設されている。ハウジング５４の両側板５４ａの中央部には切り込みが設けられ、この切り込み内に前方に向かって係合片５６が側板５４ａと一体に形成されている。上記係合片５６の先端は、側板５４ａの前端縁より切り込み内に位置し、若干外側へ湾曲可能な可撓性を有する。係合片５６の端部には内側に張り出すように係合突起５６ａが設けられている。
【０００５】
ソケット側コネクタ５１は箱形のハウジング５７を有し、ピン側コネクタ５０のハウジング５４の開口内に嵌合可能な大きさになっている。ハウジング５７の前部には、ピンコンタクト５２が挿入されるピン孔５８および案内板５５が挿入される長孔５９が設けられている。
ハウジング５７の外側には、前後部を残して可動カバー６０が前後に移動可能に覆っている。可動カバー６０の前部には、ソケット側コネクタ５０を挿入するための開口部６１が設けられている。この開口部６１は、ピン側コネクタ５０のハウジング５４の両側板５４ａ、天板５４ｂおよび底板５４ｃが挿入できる大きさであるが、係合片５６の係合突起５６ａが外側に係合片５６の先端が開口部６１の縁に突き当たり挿入できない大きさにしてある。
【０００６】
ハウジング５７および可動カバー６０の両側部には、対向するようにばね収容部（図示省略）が付設され、その内部に図１０に点線で示すように前後方向にバネ６４が収容されている。可動カバー６０は、このバネ６４により常時前方、すなわち図１０で左方に押されているが、上部に設けられた長孔６５とハウジング５７の上部に設けられた突起６６とにより係止されている。ハウジング５７の側部には、完全に接続した状態で係合片５６の係合突起５６ａが係合する係合溝６７が設けられている。この係合溝６７は、常時は可動カバー６０によって隠蔽されており、可動カバー６０が移動した時に出現する位置にある。
【０００７】
上記コネクタ５０、５１を嵌合させると、図１１に示すようにピンコンタクト５２とソケットコンタクト５３とが接触し、係合突起５６ａが係合溝６７に係合する。この嵌合時にはバネ６４は圧縮され、また係合片５６は可動カバー６０によって覆われ、係合突起５６ａが係合溝６７から逸脱する余地がなくなるので、確実に接続状態が維持される。
一方、完全な嵌合状態にない場合、つまり半嵌合状態の場合は、係合片５６の先端が可動カバー６０の開口縁に突き当たり、かつバネ６４は圧縮される。このため、バネ６４のばね力によって可動カバー６０が係合片５６を押し、両コネクタ５０、５１は互いに引き離され、全く嵌合しない状態になる。
【０００８】
【発明が解決しようとする課題】
上記コネクタは半嵌合を防止することはできるが、コネクタを嵌合する際に可動カバー６０の両側面を持って嵌合しようとすると、可動カバー６０が動かなくなり、嵌合することができない。また、完全嵌合時に係合片５６がハウジング５７に覆われていないため、可動カバー６０に外力が加わった時に容易に動いてしまい、嵌合状態であっても不測に外れてしまう危険性がある。
【０００９】
本発明の目的は、相手方コネクタとの嵌合が確実に行われ、且つ半嵌合を防止し得る半嵌合防止コネクタを提供することにある。
【００１０】
【課題を解決するための手段】
本発明に係る上記目的は、下記（１）〜（５）に記載する半嵌合防止コネクタにより達成される。
（１）相互に嵌合接続される一対の雌・雄型コネクタであり、雌型コネクタのハウジング内に収容した弾性部材の反発力により係止手段を雄型コネクタに設けた係止突起に係止させることで半嵌合を防止する半嵌合防止コネクタにおいて、
前記ハウジング内に端子収容室と接続端子とにより接続部を設けるとともに、前記係止手段は、係止突起が形成された前記雄型コネクタの挿入枠の当該係止突起に係止する係止部材を備え、前記ハウジングの長手方向に移動可能に組付けられ、前記挿入枠の雌コネクタへの嵌合操作により前記ハウジング内へ押動され、該押動により所定の移動量に達したとき回動され、前記弾性部材の反発力によって復動動作する前記ハウジング内に設けられたロック部材と、該ロック部材を押動、回動および復動自在に支持する支持機構と、から構成され、
前記ロック部材は、前記係止部材の両外側に突出するように形成された第１のロック解除突起を備えるとともに、
前記支持機構は、前記ハウジングの内側面に、中心方向に向けて設けられ、前記ロック部材が押動されて所定の移動量に達したとき、前記第１のロック解除突起に作用して前記ロック部材全体を回動させる突状の第２のロック解除突起を備えていることを特徴とする半嵌合防止コネクタ。
【００１１】
（２）前記係止手段である前記ロック部材は、上下端が開放され、両側が支持枠により支持された板状の係止部材と、前記ロック部材全体を回動自在に且つ長手方向に移動可能に支持するように前記支持枠の両外側に突状に設けた支持突起と、前記ロック部材のほぼ中央部であって前記支持枠に一体化された板状のバネ受け部と、前記ハウジング仕切り壁の一端を支点として前記ロック部材全体を雄型コネクタの方向に付勢するバネと、から構成されており、前記ロック部材全体が前記支持突起を中心にして回動可能とするために、前記ロック部材の上側は、雄コネクタを嵌合する端部から後端に向けて上り勾配に形成され、下側は支持突起から後端側が上り勾配のテーパ面となっていることを特徴とする請求項１記載の半嵌合防止コネクタ。
【００１２】
（３）前記係止手段である前記支持機構は、ほぼ中央部から後端側に向けて二重構造の壁部になっているハウジングの両内側面と、前記ロック部材に設けられた前記第１のロック解除突起をガイドするように、前記ハウジングの側面に設けられ、前記第２のロック解除突起から先端側に形成された棚状の一方のガイド部と、前記ハウジングの側面に設けられ、前記ロック部材全体を回動自在に且つ長手方向に移動可能に支持するように、支持枠の両外側に突状に設けた支持突起を介して前記ロック部材を回動および移動自在に案内する前記第２のロック解除突起から後端側に向けて形成された他方のガイド部と、から構成されていることを特徴とする請求項１記載の半嵌合防止コネクタ。
【００１３】
（４）前記接続部が、雄型コネクタを嵌合した際に前記雄型コネクタを構成する挿入枠の一端が圧接して水分の浸潤を防止する防水パッキン及び電線からの水分浸潤を防止するゴム栓を備えていることを特徴とする請求項１記載の半嵌合防止コネクタ。
【００１４】
（５）前記ロック部材の近傍の前記ハウジングの一部に開口部を設け、前記ハウジングおよび開口部をカバーによって覆うとともに、該カバーの前記開口部に対応する位置に開閉自在な嵌合解除扉を形成し、雄型コネクタとの嵌合を解除する際に、前記嵌合解除扉を開けて前記ロック部材を押圧することで前記係止突起との係止状態を解除する、ことを特徴とする請求項１記載の半嵌合防止コネクタ。
【００１５】
前記半嵌合防止コネクタによれば、相手方コネクタとの嵌合時に、ロック部材に設けた係止部材が相手方コネクタに設けた係止突起に当接してロック部材全体をバネに抗して押動し、ロック部材に設けたロック解除突起が支持構造に設けたロック解除突起に乗り上げてロック部材全体を回動させる。そして、嵌合を更に進めると、ロック部材が弾性部材により付勢されて係止突起を越えて係止され、相手方コネクタとの完全嵌合が行われる。
【００１６】
したがって、仮に嵌合作業を途中で停止した場合は、ロック部材が回動せず、ロック部材が弾性部材により付勢されるのでコネクタが相手方コネクタから弾性的に押し戻されて外れ、半嵌合であることを確実に認識することができる。
【００１７】
【発明の実施の形態】
以下、本発明を適用した半嵌合防止コネクタ（以下、単にコネクタと略称する）の実施の形態を図１〜図９を参照して説明する。図１は雌型コネクタの構成を示す縦断面図、図２は雌型コネクタの構成を示す一部切欠平面図、図３は雌型コネクタの構成を示す正面図、図４は雄型コネクタの構成を示す要部の拡大断面図、図５〜図８はコネクタの作用を示す縦断面図、図９はコネクタの嵌合解除を示す縦断面図である。
なお、実施の形態の説明にあたっては、図１〜図４を参照してコネクタの構成を説明し、次に図５以下の各図を参照して相手方コネクタとの嵌合と嵌合解除について説明する。
【００１８】
半嵌合防止コネクタ１（以下、単に「コネクタ」という。）は雌型コネクタに構成され、相手方コネクタ２である雄型コネクタとの嵌合時における半嵌合、言い換えれば不完全嵌合を未然に防止する構成になっている。
コネクタ１の基本的構成は、合成樹脂を一体成形したハウジング３内に、相手方コネクタ（雄型）２との接続部１１と接続時における係止手段２１とを組み込んだものであり、係止手段２１に半嵌合防止機能が設けられている。
前記接続部１１は、ハウジング３内を上下に区分けする仕切り壁４の下側に防水構造で設けられ、係止手段２１は仕切り壁４の上側に設けられている。
なお、ハウジング３の外側にはカバー５が装着され、このカバー５の一部はヒンジ５ａによって開閉自在な嵌合解除扉５ｂになっている。
【００１９】
接続部１１は、前記仕切り壁４の下部に隔壁１２によって設けた２個の端子収容室１３と、この端子収容室１３内に抜け出し不可に装着した接続端子１４等を備えている。なお、接続端子１４は隔壁１２の一端に抜け出し不可に係止され、一方の端部は相手方コネクタ３の接続端子３３を挿入するための挿入孔１２ａに連通し、他方の端部には電線６が接続されている。
前記電線６には防水用のゴム栓７が被せられ、この電線６の表面を伝わる水分に対し浸潤防止を図るようになっている。また、仕切り壁４の基部および隔壁１２の基部にも防水パッキン８が被せられ、相手方コネクタ３を嵌合した場合にハウジング、つまり挿入枠３２の一端が圧接して水分の浸潤を防止するようになっている。
【００２０】
前記係止手段２１は、ハウジング３の一端を支点として回動するとともに、ハウジング３の長手方向に移動可能に組付けられたロック部材２２と、このロック部材２２を常に矢印Ａ方向に付勢するバネ２３等を備え、係止および半嵌合防止は相手方コネクタ３の挿入枠３２の一端に設けた係止突起３４に関連して行われる。
【００２１】
以下、係止手段２１を構成する各部材について説明する。
ロック部材２２は、上下端が開放され且つ両側が支持枠２４ａ，２４ｂにより支持された板状の係止部材２５と、この係止部材２５の両外側に突出するように形成された第１のロック解除突起２６ａ，２６ｂと、このロック部材２２全体を回動自在に且つ長手方向に移動可能に支持するように前記支持枠２４ａ，２４ｂの両外側に突状に設けた支持突起２７ａ，２７ｂと、このロック部材２２のほぼ中央部であって前記支持枠２４ａ，２４ｂに一体化された板状のバネ受け部２８と、仕切り壁４の一端を支点として前記ロック部材２２全体を矢印Ａ方向（雄型コネクタ２の方向）に付勢するバネ２３を備えている。
【００２２】
前記ロック部材２２の上側は左方から右方に向けて、すなわち相手方コネクタ２を嵌合する端部から後端に向けて上り勾配に形成され、下側は支持突起２７ａ，２７ｂから後端側が上り勾配のテーパ面になっている。
したがって、ロック部材２２全体は、前記支持突起２７ａ，２７ｂを中心にして回動することができる。また、ロック部材２２の後端側の上部は閉塞され、下部は組付けのため開放されている。そして、閉塞された部分は押圧部２９を構成し、相手方コネクタ２との係止を解除する際に手指等により付勢し、ロック部材２２を図１で時計方向に回動させるようになっている。
【００２３】
次に、前記ロック部材２２の支持構造４１について説明する。
支持構造４１は、ハウジング３の両内側面を利用して設けられている。すなわち、ハウジング３の両内側面は、図２に示すようにほぼ中央部から後端側に向けて二重構造の壁部３ａ，３ｂになっている。そして、内側の壁部３ａの内側面に中心方向に向けて突状の第２のロック解除突起４２ａ，４２ｂが設けられ、この第２のロック解除突起４２ａ，４２ｂから先端側に棚状のガイド部４３ａ，４３ｂが形成され、後端側に向けてガイド部４４ａ，４４ｂが形成されている。
なお、図１はコネクタ１の縦断面図であるので、正面から見て左方のガイド部４３ａ，４４ａが線で示され、図２はコネクタ１の右方の構造を平面で示しているので、正面から見て右方のガイド部４３ｂ，４４ｂが図示されている。
また、図２に示すように、ハウジング３とカバー５との間に間隙Ｇ３が形成されているが、この間隙Ｇ３には相手方コネクタ２を嵌合する際に挿入枠３２の一部が挿入される。
【００２４】
次に、相手方コネクタ２の構成を説明すると、基板３１から突出するようにして前記コネクタ１に嵌合する挿入枠３２が形成され、その内部に接続端子３３が抜け出し不可に設けられている。そして、接続端子３１の上部に位置する挿入枠３２の上面に、前記係止部材２５を係止させるための係止突起３４が設けられている。
なお、コネクタ１と相手方コネクタ２とを嵌合する場合、図６以下の各図に示すように挿入枠３２の上部と下部は前記コネクタ１内の防水パッキン８を施した間隙Ｇ１，Ｇ２に差し込まれ、隔壁１２が挿入枠３２内に差し込まれるようになる。このため、挿入枠３２の内側先端面はテーパ面３２ａに形成され、隔壁１２を容易に差し込み得るように工夫されている。
【００２５】
以下に、前記コネクタ１と相手方コネクタ２との嵌合作用を図５〜図８を参照して説明する。コネクタ１と相手方コネクタ２とを嵌合する場合、図５に示すようにコネクタ１の間隙Ｇ１，Ｇ２に相手方コネクタ２の挿入枠３２を差し込み、そのまま押し込む。なお、挿入枠３２の他の部分、すなわち図４に示す垂直の部分は、図２に示した間隙Ｇ３に押し込まれることになる。
この状態でコネクタ１を押動し続けると、図５に示すように相手方コネクタ２に設けた係止突起３４がロック部材２２の先端に設けた係止部材２５に当接し、一旦停止状態になる。
【００２６】
しかし、この状態で更にコネクタ１を押動し続けると、バネ２３に抗してロック部材２２全体が後方、すなわちコネクタ１の後端側に押される。そして、図６に示すようにハウジング３の端部が相手方コネクタ２の基板３１に近接するようになる。しかし、この時点では係止部材２５が係止突起３４に係止していないので、コネクタ１の押動を止めるとバネ２３の反発力によってコネクタ１全体が抜け出てしまう。
また、この状態ではロック部材２２側に設けた第１のロック解除突起２６ａ，２６ｂの下側に形成したテーパ面が、図６に示すようにハウジング３側に設けたロック解除突起４２ａ，４２ｂの上側に形成したテーパ面に当接している。
【００２７】
この状態からコネクタ１を更に押動すると、ロック部材２２全体が後端側に更に移動するので、図７に示すようにロック部材２２に設けたロック解除突起２６ａ，２６ｂがハウジング３側に設けた第２のロック解除突起４２ａ，４２ｂ上に乗り上がるようになる。
すなわち、ロック部材２２の先端側が強制的に持ち上げられることになり、このロック部材２２全体が支持突起２７ａ，２７ｂを中心にして図７に示すように時計方向に回動する。そして、係止部材２５と係止突起３４とが外れ、バネ２３は仕切り壁４の一端、言い換えればハウジング３の一端を支点としてロック部材２２全体を矢印Ａ方向に付勢する。
【００２８】
このように、ロック部材２２全体が矢印Ａ方向に付勢されると、図８に示すように係止部材２５が係止突起３４を乗り越え、これと同時に反時計方向に回動して係止部材２５が相手方コネクタ２の挿入枠３２上に落ちるようになる。すなわち、係止突起３４が係止部材２５の内側に入り込み、仮りにコネクタ１全体を抜き出すように引いたとしても、係止部材２５が係止突起２５に係止し、抜け出し不可になる。
【００２９】
すなわち、本実施形態に示すコネクタ１は、相手方コネクタ２に対し半嵌合状態ではロック部材２２が回動せず、半嵌合状態ではバネ２３の作用によってコネクタ１が相手方コネクタ２から押し出されてしまう。したがって、相手方コネクタ２との嵌合時に半嵌合、つまり不完全な嵌合状態のまま嵌合したと誤認するような問題は全く生じない。
【００３０】
次に、嵌合解除について説明すると、図９に示すように嵌合解除扉５ｂを開けて、手指等により押圧部２９を矢印Ｂ方向に付勢する。この結果、ロック部材２２が支持突起２７ａ，２７ｂを支点として時計方向に強制的に回動され、係止部材２５が係止突起３４に対し高位置になり、係止解除になってコネクタ１を相手方コネクタ２から取り外すことができる。
なお、ハウジング３の後端側、すなわち電線６の引き出し側はリアカバー４５により覆われ、リヤカバー４５は電線６を覆うコルゲートチューブ４６を係止するようになっている。
【００３１】
前記コネクタ１において注目すべきことは、コネクタ１をただ押動するだけでロック部材２２の押動と回動、更にバネ２３によるロック部材２２の矢印Ａ方向への復動が自動的に行われ、次いで相手方コネクタ２との係止が自動的に行われることである。そして、半嵌合の場合は、自動的な係止作用が途中で中断され、コネクタ１の外れにより半嵌合を確認し得る。また、嵌合位置がずれている場合は嵌合不可になり、誤った嵌合が行われることはない。
更に、係止手段２１全体がカバー５により覆われ、押圧部２９は嵌合解除扉５ｂを開けない限り手指を触れることができず、不測の自体で嵌合解除になることがない。したがって、相手方コネクタ２との嵌合および半嵌合防止が確実になり、使用時における外れ等の事故も防止できるので、このコネクタ１を使用する例えば自動車等の装置や電子機器の信頼性を大幅に向上させることができ、メンテナンス等が容易になる等の効果も得られる。
更に、構造が簡単で部品点数も少なく、組付作業も容易である等、従来のこの種コネクタに比較して種々の利点を有している。
【００３２】
【発明の効果】
以上に説明したように、本発明に係る半嵌合防止コネクタは、相手方コネクタとの嵌合時に、ロック部材に設けた係止部材が相手方コネクタに設けた係止突起に当接してロック部材全体を弾性部材に抗して押動し、ロック部材に設けたロック解除突起が支持構造に設けたロック解除突起に乗り上げてロック部材全体を回動させ、嵌合を更に進めることによりロック部材が弾性部材により付勢されて係止突起を越えて係止し、相手方コネクタとの完全嵌合が自動的に行われる。また、嵌合が不完全な場合はロック部材が回動せず、コネクタが相手方コネクタから押し戻されるので、不完全嵌合、つまり半嵌合を確実に防止することができる。したがって、相手方コネクタとの嵌合が自動的に確実に行われ、半嵌合の場合は自動的に押し戻されるので、半嵌合のまま嵌合したと誤認することは全く無い。更に、嵌合解除はロック部材を手指等で付勢しなければならず、ロック部材はカバーにより覆われているので不測に嵌合解除になることはなく、これらが相まってこのコネクタを使用する自動車等の装置や機器の信頼性を大幅に向上させることができる。
【図面の簡単な説明】
【図１】本発明の実施の形態を示す半嵌合防止コネクタ（雌型）の縦断面図である。
【図２】半嵌合防止コネクタ（雌型）の構成を示す一部切欠平面図である。
【図３】半嵌合防止コネクタ（雌型）の構成を示す正面図である。
【図４】相手方コネクタ（雄型）の構成を示す要部の断面図である。
【図５】半嵌合防止コネクタ嵌合時における初期状態を示す縦断面図である。
【図６】コネクタ嵌合時におけるロック部材の押動を示す縦断面図である。
【図７】コネクタ嵌合時におけるロック部材の回動を示す縦断面図である。
【図８】コネクタ嵌合時におけるロック部材の復動を示す縦断面図である。
【図９】コネクタの嵌合を解除する際のロック部材の動きを示す縦断面図である。
【図１０】従来のコネクタの構成例を示す斜視図である。
【図１１】従来のコネクタの嵌合を示す縦断面図である。
【符号の説明】
１  半嵌合防止コネクタ（雌型）
２  相手方コネクタ（雄型）
３  ハウジング
４  仕切り壁
５  カバー
６  電線
７  ゴム栓
８  防水パッキン
１１  接続部
１３  端子収容室
１４，３３  接続端子
２１  係止手段
２２  ロック部材
２３  バネ（弾性部材）
２４ａ、２４ｂ  支持枠
２５  係止部材
２６ａ，２６ｂ  第１のロック解除突起
２７ａ，２７ｂ  支持突起
２８  バネ受け部
２９  押圧部
３１  基板
３２  挿入枠
３４  係止突起
４１  支持機構
４２ａ，４２ｂ  第２のロック解除突起
４３ａ，４３ｂ，４４ａ，４４ｂ  ガイド部
【図１】
0003705452.tif 000002
【図２】
0003705452.tif 000003
【図３】
0003705452.tif 000004
【図４】
0003705452.tif 000005
【図５】
0003705452.tif 000006
【図６】
0003705452.tif 000007
【図７】
0003705452.tif 000008
【図８】
0003705452.tif 000009
【図９】
0003705452.tif 000010
【図１０】
0003705452.tif 000011
【図１１】
0003705452.tif 000012